(57)【特許請求の範囲】
【請求項１】
キャリアアグリゲーションを支援するワイヤレスアクセスシステムにおいて物理ダウンリンク制御チャネル（ＰＤＣＣＨ）信号を検出する方法であって、該方法は、
ユーザー機器（ＵＥ）によって、サーチスペースを定義するために用いられるＰＤＣＣＨ候補の数を示す上位層信号を受信することと、
ＰＤＣＣＨをデコーディングするために、該ＵＥによって該サーチスペースのうちの１つのサーチスペースをモニタリングすることと、
該ＵＥによって、該サーチスペースのうちの該１つのサーチスペースで該ＰＤＣＣＨを受信することと
を含み、
該サーチスペースは、結合されたコンポーネントキャリアに対して連続して構成されており、
該サーチスペースのうちの該１つのサーチスペースは、キャリアインデックスに関連するオフセット値によって、他のＣＣに対して定義された他のサーチスペースから区別される、方法。
【請求項２】
前記キャリアインデックスは、キャリア指示子フィールド（ＣＩＦ）値である、請求項１に記載の方法。
【請求項３】
前記サーチスペースのうちの前記１つのサーチスペースの開始点は、
【数１】
0005845251.tif 000020
に基づいて定義され、
ここで、ＹＫが該開始点であり、Ａが３９８２７であり、Ｄが６５５３７であり、
【数２】
0005845251.tif 000021
であり、ｎｓが無線フレーム内のスロット番号である、請求項２に記載の方法。
【請求項４】
前記オフセット値は、前記ＰＤＣＣＨ候補の数と前記キャリアインデックスとの積である、請求項２に記載の方法。
【請求項５】
キャリアアグリゲーションを支援するワイヤレスアクセスシステムにおいて物理ダウンリンク制御チャネル（ＰＤＣＣＨ）信号を伝送する方法であって、該方法は、
基地局（ＢＳ）によって、サーチスペースを定義するために用いられるＰＤＣＣＨ候補の数を示す上位層信号を伝送することと、
該ＢＳによって、該サーチスペースで該ＰＤＣＣＨ信号を伝送することと
を含み、
該サーチスペースは、結合されたコンポーネントキャリアに対して連続して構成されており、
該サーチスペースのうちの１つのサーチスペースは、キャリアインデックスに関連するオフセット値によって、他のＣＣに対して定義された他のサーチスペースから区別される、方法。
【請求項６】
前記キャリアインデックスは、キャリア指示子フィールド（ＣＩＦ）値である、請求項５に記載の方法。
【請求項７】
前記サーチスペースのうちの前記１つのサーチスペースの開始点は、
【数３】
0005845251.tif 000022
に基づいて定義され、
ここで、ＹＫが該開始点であり、Ａが３９８２７であり、Ｄが６５５３７であり、
【数４】
0005845251.tif 000023
であり、ｎｓが無線フレーム内のスロット番号である、請求項６に記載の方法。
【請求項８】
前記オフセット値は、前記ＰＤＣＣＨ候補の数と前記キャリアインデックスとの積である、請求項６に記載の方法。
【請求項９】
キャリアアグリゲーションを支援するワイヤレスアクセスシステムにおいて物理ダウンリンク制御チャネル（ＰＤＣＣＨ）を検出するユーザー機器であって、該ユーザー機器は、
受信モジュールと、
該ＰＤＣＣＨを検出するプロセッサと
を含み、
該プロセッサは、
該受信モジュールを介して、サーチスペースを定義するために用いられるＰＤＣＣＨ候補の数を示す上位層信号を受信することと、
該ＰＤＣＣＨをデコーディングするために、該サーチスペースをモニタリングすることと、
該受信モジュールを介して、該サーチスペースのうちの１つのサーチスペースで該ＰＤＣＣＨを受信することと
を行うように構成されており、
該サーチスペースは、結合されたコンポーネントキャリア（ＣＣ）に対して連続して構成されており、
該サーチスペースのうちの該１つのサーチスペースは、キャリアインデックスに関連するオフセット値によって、他のＣＣに対して定義された他のサーチスペースから区別される、ユーザー機器。
【請求項１０】
前記キャリアインデックスは、キャリア指示子フィールド（ＣＩＦ）値である、請求項９に記載のユーザー機器。
【請求項１１】
前記サーチスペースのうちの前記１つのサーチスペースの開始点は、
【数５】
0005845251.tif 000024
に基づいて定義され、
ここで、ＹＫが該開始点であり、Ａが３９８２７であり、Ｄが６５５３７であり、
【数６】
0005845251.tif 000025
であり、ｎｓが無線フレーム内のスロット番号である、請求項１０に記載のユーザー機器。
【請求項１２】
前記オフセット値は、前記ＰＤＣＣＨ候補の数と前記キャリアインデックスとの積である、請求項１０に記載のユーザー機器。
【請求項１３】
キャリアアグリゲーションを支援するワイヤレスアクセスシステムにおいて物理ダウンリンク制御チャネル（ＰＤＣＣＨ）信号を伝送する基地局（ＢＳ）であって、該基地局は、
伝送モジュールと、
プロセッサと
を含み、
該プロセッサは、
該伝送モジュールを介して、サーチスペースを定義するために用いられるＰＤＣＣＨ候補の数を示す上位層信号を伝送することと、
該伝送モジュールを介して、該サーチスペースで該ＰＤＣＣＨ信号を伝送することと
を行うように構成されており、
該サーチスペースは、結合されたコンポーネントキャリアに対して連続して構成されており、
該サーチスペースのうちの１つのサーチスペースは、キャリアインデックスに関連するオフセット値によって、他のＣＣに対して定義された他のサーチスペースから区別される、基地局。
【請求項１４】
前記キャリアインデックスは、キャリア指示子フィールド（ＣＩＦ）値である、請求項１３に記載の基地局。
【請求項１５】
前記サーチスペースのうちの前記１つのサーチスペースの開始点は、
【数７】
0005845251.tif 000026
に基づいて定義され、
ここで、ＹＫが該開始点であり、Ａが３９８２７であり、Ｄが６５５３７であり、
【数８】
0005845251.tif 000027
であり、ｎｓが無線フレーム内のスロット番号である、請求項１４に記載の基地局。
【請求項１６】
前記オフセット値は、前記ＰＤＣＣＨ候補の数と前記キャリアインデックスとの積である、請求項１４に記載の基地局。
【発明の詳細な説明】
【技術分野】
【０００１】
本発明は、キャリアアグリゲーション（Ｃａｒｒｉｅｒ  Ａｇｇｒｅｇａｔｉｏｎ：ＣＡ）技術を支援する無線接続システムに係り、複数のセルに対する制御信号を效果的に検索できる方法及びそれを支援する装置に関する。
【背景技術】
【０００２】
無線接続システムが音声やデータなどのような種々の通信サービスを提供するために広範囲に展開されている。一般に、無線接続システムは、可用のシステムリソース（帯域幅、送信パワーなど）を共有してマルチユーザーとの通信を支援できる多重接続（ｍｕｌｔｉｐｌｅ  ａｃｃｅｓｓ）システムのことをいう。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）  Ｒｅｌ−８システム（以下、ＬＴＥシステム）は、単一のコンポーネントキャリア（ＣＣ：Ｃｏｍｐｏｎｅｎｔ  Ｃａｒｒｉｅｒ）を複数の帯域に分割して用いる多重搬送波変調（ＭＣＭ：Ｍｕｌｔｉ−Ｃａｒｒｉｅｒ  Ｍｏｄｕｌａｔｉｏｎ）方式を用いている。しかし、３ＧＰＰ  ＬＴＥ−Ａｄｖａｎｃｅｄシステム（以下、ＬＴＥ−Ａシステム）では、ＬＴＥシステムよりも広帯域のシステム帯域幅を支援するために、一つ以上のコンポーネントキャリアを結合して用いるマルチキャリアアグリゲーション方法を用いることができる。
【０００４】
ＬＴＥシステムではＤＬ／ＵＬ単一キャリアベースにＰＤＣＣＨ信号及びＰＤＳＣＨ信号が伝送されるコンポーネントキャリア（ＣＣ）が同一であり、ＰＤＣＣＨ信号及びＰＵＳＣＨ信号が伝送されるＣＣはＤＬ−ＵＬリンケージによって固定されている。
【０００５】
ＬＴＥ−Ａシステムのようにキャリアアグリゲーション技術を支援し、クロスキャリアスケジューリングを用いる場合には、特定端末に対して一つのＤＬ  ＣＣを通じて複数のＰＤＣＣＨが伝送されることがあるため、ＬＴＥシステムで定義されている候補ＰＤＣＣＨでは複数個のＰＤＣＣＨを全てスケジューリングすることはできないという問題点がある。
【０００６】
また、ＬＴＥシステムでは、複数個のＰＤＣＣＨをスケジューリングする際に、柔軟性が低下し、ＰＤＣＣＨブロッキング確率（ｂｌｏｃｋｉｎｇ  ｐｒｏｂａｂｉｌｉｔｙ）が高くなることがある。これは、制限された個数の候補ＰＤＣＣＨで構成されるサーチスペース内で既存のＬＴＥ  Ｒｅｌ−８システムに比べてより多い数のＰＤＣＣＨを伝送しなければならないからである。
【０００７】
また、異種網のような多重セル（ｍｕｌｔｉ−ｃｅｌｌ）環境で干渉調整（ｉｎｔｅｒｆｅｒｅｎｃｅ  ｃｏｏｒｄｉｎａｔｉｏｎ）などの目的でＰＤＣＣＨ信号のないキャリアが存在する場合や、任意のセルのキャリア構成（ｃａｒｒｉｅｒ  ｃｏｎｆｉｇｕｒａｔｉｏｎ）上で制御チャネルを伝送できるキャリアが制限されている場合には、特定ＤＬ  ＣＣに多くのＰＤＣＣＨが集まることになる。そのため、制御領域（ｃｏｎｔｒｏｌ  ｒｅｇｉｏｎ）に含まれたリソースでは、限定されたサーチスペースの量が絶対的なリソース観点から足りなくなることがあった。
【０００８】
本発明は、上記の一般的な技術の問題点を解決するために案出されたもので、その目的は、効率的な制御情報を送受信する方法及びそれを支援する装置を提供することにある。
【０００９】
本発明の他の目的は、ＬＴＥ−Ａシステムにおいて制御情報を送受信するための検索空間を構成する方法を提供することにある。
【００１０】
本発明のさらに他の目的は、クロスキャリアスケジューリングを用いる場合に、任意のキャリアまたはサービングセルで複数個の制御情報を效果的に検索する方法を提供することにある。
【００１１】
本発明で達成しようとする技術的課題は、以上に言及した事項に制限されず、言及していない他の技術的課題は、以下に説明する本発明の実施例から、本発明の属する技術の分野における通常の知識を有する者により考慮されるであろう。
【課題を解決するための手段】
【００１２】
上記の技術的課題を解決するために、本発明は、キャリアアグリゲーション（Ｃａｒｒｉｅｒ  Ａｇｇｒｅｇａｔｉｏｎ）技術を支援する無線接続システムに関し、複数のセルに対する制御信号を效果的に検索できる方法及びそれを支援する装置を開示する。
【００１３】
本発明の一様態として、多重キャリアアグリゲーション（ＣＡ）及びクロスキャリアスケジューリングを支援する無線接続システムで制御信号を検索する方法は、拡張されたサーチスペースで基準サーチスペースの開始点を算出することと、基準サーチスペースから所定のオフセット値を有する位置にある次のサーチスペースの開始点を算出することと、基準サーチスペース及び次のサーチスペースでブラインドデコーディングを行って基地局から制御信号を検索することと、を含むことができる。
【００１４】
本発明の他の様態として、多重キャリアアグリゲーション（ＣＡ）及びクロスキャリアスケジューリングを支援する無線接続システムにおいて制御信号を検索する端末は、無線信号を送信するための送信モジュール、無線信号を受信するための受信モジュール、及び制御信号を検索するためのプロセッサを備えることができる。
【００１５】
ここで、プロセッサは、拡張されたサーチスペースで基準サーチスペースの開始点を算出し、基準サーチスペースから所定のオフセット値を有する位置にある次のサーチスペースの開始点を算出し、算出された基準サーチスペース及び次のサーチスペースでブラインドデコーディングを行って基地局から制御信号を検索することができる。
【００１６】
本発明の様態において、基準サーチスペースは、プライマリコンポーネントキャリア（ＰＣＣ）、アンカーコンポーネントキャリア及びセルフスケジューリングコンポーネントキャリアのいずれか一つで構成される。
【００１７】
本発明の様態において、オフセット値は、キャリアインデックス（ＣＩ）、キャリア指示子フィールド（ＣＩＦ）及びキャリアインデックス関数（ｆ（ＣＩ））のいずれか一つである。
【００１８】
本発明の様態において、次のサーチスペースは、基準サーチスペースと連続して構成される。
【００１９】
本発明の様態において、基準サーチスペース及び次のサーチスペースは、次の数式
【００２０】
【化１】
0005845251.tif 000002
【００２１】
で計算され、Ｍ（Ｌ）は、該当のＳＳでモニタリングするＰＤＣＣＨ候補の個数を表し、ｎＣＩ＿ＣＣ＃ｐは、キャリアインデックスを表し、前記オフセット値を表す。
【００２２】
これらの本発明の様態は、本発明の好適な実施例の一部に過ぎず、本発明の技術的特徴が反映された様々な実施例が、当該技術の分野における通常の知識を有する者には、以下に詳述する本発明の詳細な説明から導出されて理解されるであろう。
【発明の効果】
【００２３】
本発明の実施例によれば、下記の効果が得られる。
【００２４】
第一に、ＬＴＥ端末及びＬＴＥ−Ａ端末が共存するＬＴＥ−Ａシステムにおいて効率的に制御情報を送受信することができる。
【００２５】
第二に、ＬＴＥシステムで提供するサーチスペースと区別されるＬＴＥ−Ａシステムで利用可能な検索空間を提供することができる。
【００２６】
第三に、ＬＴＥ−Ａ端末は、クロスキャリアスケジューリング方法が用いられる場合に、任意のキャリアまたはサービングセルで複数個の制御情報を效果的に検索することができる。
【００２７】
本発明の実施例から得られる効果は以上に言及した効果に制限されず、言及していない他の効果は、以下の本発明の実施例についての記載から、本発明の属する技術の分野における通常の知識を有する者には明確に導出及び理解されるであろう。すなわち、本発明を実施する上での意図しなかった効果も、本発明の実施例から、当該技術の分野における通常の知識を有する者により導出されるであろう。
【図面の簡単な説明】
【００２８】
【図１】図１は、本発明の実施例で使用可能な無線フレームの構造を示す図である。
【図２】図２は、本発明の実施例で使用可能な一つの下りリンクスロットのリソースグリッド（Ｒｅｓｏｕｒｃｅ  Ｇｒｉｄ）を示す図である。
【図３】図３は、本発明の実施例で使用可能な下りリンクサブフレームの構造を示す図である。
【図４】図４は、本発明の実施例で使用可能な上りリンクサブフレーム構造の一例を示す図である。
【図５】図５は、ＬＴＥシステムのコンポーネントキャリア（ＣＣ）及びＬＴＥ−Ａシステムで用いられるマルチキャリアアグリゲーションの一例を示す図である。
【図６】図６は、制御チャネル領域とデータチャネル領域の構造の一例を示す図である。
【図７】図７は、ＰＤＣＣＨが制御チャネル領域にマッピングされる過程の一つを示す図である。
【図８】図８は、ＬＴＥシステムで用いられるサーチスペースの一例を示す図である。
【図９】図９は、ＰＤＣＣＨモニタリング集合のコンポーネントキャリアと端末ＤＬ／ＵＬＣＣ集合とのリンケージの一例を示す図である。
【図１０】図１０は、本発明の実施例として、スケジューリングされたコンポーネントキャリアのサーチスペースを構成する一方法を示す図である。
【図１１】図１１は、本発明の実施例として、スケジューリングされたコンポーネントキャリアのサーチスペースを構成する他の方法を示す図である。
【図１２】図１２は、本発明の他の実施例として、図１乃至図１１で説明した本発明の実施例を実行できる移動端末及び基地局を示す図である。
【発明を実施するための形態】
【００２９】
本発明の実施例は、競合ベースの上りリンクチャネル信号を送受信する様々な方法及びそれを支援する装置に関する。
【００３０】
以下の実施例は、本発明の構成要素及び特徴を所定の形態で結合したものである。各構成要素または特徴は、別に明示しない限り、選択的なものとして考慮されればいい。各構成要素または特徴を他の構成要素や特徴と結合しない形態で実施してもよく、一部の構成要素及び／または特徴を結合して本発明の実施例を構成してもよい。本発明の実施例で説明される動作の順序は変更されてもよい。ある実施例の一部の構成や特徴は、他の実施例に含まれてもよく、他の実施例の対応する構成または特徴に取り替えられてもよい。
【００３１】
図面についての説明において、本発明の要旨を曖昧にするような手順または段階などは記述を省略し、当業者のレベルで理解できるような手順または段階も記述を省略した。
【００３２】
本明細書では、本発明の実施例を、基地局と端末との間におけるデータ送受信の関係を中心に説明する。ここで、基地局は、端末と直接通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００３３】
すなわち、基地局を含む複数のネットワークノード（ｎｅｔｗｏｒｋ  ｎｏｄｅｓ）からなるネットワークにおいて、移動局との通信のために行われる種々の動作は、基地局、または基地局以外の他のネットワークノードにより行うことができる。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、進展した基地局（ＡＢＳ：Ａｄｖａｎｃｅｄ  Ｂａｓｅ  Ｓｔａｔｉｏｎ）、アクセスポイント（ＡＰ：Ａｃｃｅｓｓ  Ｐｏｉｎｔ）などの用語に代えてもよい。
【００３４】
また、「端末（Ｔｅｒｍｉｎａｌ）」は、ユーザー機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、進展した移動局（ＡＭＳ：Ａｄｖａｎｃｅｄ  Ｍｏｂｉｌｅ  Ｓｔａｔｉｏｎ）などの用語に代えてもよい。
【００３５】
また、送信端は、データサービスまたは音声サービスを提供する固定及び／または移動ノードのことを指し、受信端は、データサービスまたは音声サービスを受信する固定及び／または移動ノードのことを指す。そのため、上りリンクでは、移動局が送信端になり、基地局が受信端になり得る。同様に、下りリンクでは、移動局が受信端になり、基地局が送信端になり得る。
【００３６】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムの少なくとも一つに開示された標準文書でサポートでき、特に、３ＧＰＰ  ＴＳ  ３６．２１１、３ＧＰＰ  ＴＳ  ３６．２１２、３ＧＰＰ  ＴＳ  ３６．２１３及び３ＧＰＰ  ＴＳ  ３６．３２１の文書でサポートすることができる。すなわち、本発明の実施例において説明していない自明な段階または部分については上記文書を参照して説明することができる。また、本文書で開示している全ての用語についても上記標準文書により説明することができる。
【００３７】
以下、本発明の好適な実施の形態を、添付の図面を参照して詳細に説明する。添付の図面と共に以下に開示される詳細な説明は、本発明の例示的な実施の形態を説明することを意図しているもので、本発明が実施されうる唯一の実施の形態を表しているものではない。
【００３８】
また、本発明の実施例で用いられる特定用語は、本発明の理解を助けるために提供されたもので、これらの特定用語の使用は、本発明の技術的思想から逸脱しない範囲で別の形態に変更されてもよい。
【００３９】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに用いることができる。
【００４０】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術とすることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術とすることができる。
【００４１】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥから進展したシステムである。本発明の技術的特徴についての説明を明確にするために、以下では、３ＧＰＰ  ＬＴＥ／ＬＴＥ−Ａシステムを中心に述べるが、ＩＥＥＥ  ８０２．１６ｅ／ｍシステムなどにも同様の適用が可能である。
【００４２】
１．３ＧＰＰ  ＬＴＥ／ＬＴＥ−Ａシステムの基本構造
図１は、本発明の実施例で使用可能な無線フレームの構造を示す図である。
【００４３】
無線フレーム（ｒａｄｉｏ  ｆｒａｍｅ）は、１０個のサブフレーム（ｓｕｂｆｒａｍｅ）で構成され、１サブフレームは２個のスロット（ｓｌｏｔ）で構成される。１サブフレームの伝送にかかる時間をＴＴＩ（ｔｒａｎｓｍｉｓｓｉｏｎ  ｔｉｍｅ  ｉｎｔｅｒｖａｌ）という。ここで、１サブフレームの長さは１ｍｓであり、１スロットの長さは０．５ｍｓである。
【００４４】
１スロットは、時間領域（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数のリソースブロック（ＲＢ：Ｒｅｓｏｕｒｃｅ  Ｂｌｏｃｋ）を含む。ＯＦＤＭシンボルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式を用いる３ＧＰＰ  ＬＴＥシステムにおいて１シンボル区間（ｓｙｍｂｏｌ  ｐｅｒｉｏｄ）を表現するためのものである。すなわち、ＯＦＤＭシンボルは、多重接続方式によってＳＣ−ＦＤＭＡシンボルまたはシンボル区間とも呼ばれる。ＲＢは、リソース割当単位であり、１スロットで複数の連続する副搬送波を含む。
【００４５】
図１の無線フレームの構造は例示に過ぎず、無線フレームに含まれるサブフレームの数、サブフレームに含まれるスロットの数、及びスロットに含まれるＯＦＤＭシンボルの数は様々に変更可能である。
【００４６】
図２は、本発明の実施例で使用可能な一つの下りリンクスロットのリソースグリッド（Ｒｅｓｏｕｒｃｅ  Ｇｒｉｄ）を示す図である。
【００４７】
下りリンクスロットは、時間領域（ｔｉｍｅ  ｄｏｍａｉｎ）で複数のＯＦＤＭシンボルを含む。図２では、一つの下りリンクスロットが７個のＯＦＤＭシンボルを含み、一つのリソースブロック（ＲＢ：Ｒｅｓｏｕｒｃｅ  Ｂｌｏｃｋ）は、周波数領域で１２個の副搬送波を含む例を挙げている。
【００４８】
リソースグリッド上の各要素（ｅｌｅｍｅｎｔ）をリソース要素（ＲＥ：Ｒｅｓｏｕｒｃｅ  Ｅｌｅｍｅｎｔ）といい、１リソースブロック（ＲＢ）は、１２×７個のリソース要素（ＲＥ）を含む。下りリンクスロットに含まれるリソースブロックの数ＮＤＬは、セルで設定される下りリンク伝送帯域幅（ｂａｎｄｗｉｄｔｈ）に従う。
【００４９】
図３は、本発明の実施例で使用可能な下りリンクサブフレームの構造を示す図である。
【００５０】
サブフレームは、時間領域で２個のスロットを含む。サブフレーム内の１番目のスロットにおける先頭の最大３個のＯＦＤＭシンボルが、制御チャネルが割り当てられる制御領域（ｃｏｎｔｒｏｌ  ｒｅｇｉｏｎ）に相当し、残りのＯＦＤＭシンボルが、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に相当する。
【００５１】
３ＧＰＰ  ＬＴＥシステムで用いられる下りリンク制御チャネルとしては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。サブフレームの最初のＯＦＤＭシンボルで伝送されるＰＣＦＩＣＨ信号は、サブフレーム内で制御チャネル信号の伝送に用いられるＯＦＤＭシンボルの数（すなわち、制御領域のサイズ）に関する情報を運ぶ。ＰＨＩＣＨは、上りリンクＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｎｅ−Ａｃｋｎｏｗｌｅｄｇｅｍｅｎｔ）信号を運ぶ。すなわち、端末（ＵＥ：Ｕｓｅｒ  Ｅｑｕｉｐｍｅｎｔ）が伝送した上りリンクデータに対するＡＣＫ／ＮＡＣＫ信号はＰＨＩＣＨ上で伝送される。
【００５２】
ＰＤＣＣＨを通じて伝送される制御情報を、下りリンク制御情報（ＤＣＩ：Ｄｏｗｎｌｉｎｋ  Ｃｏｎｔｒｏｌ  Ｉｎｆｏｒｍａｔｉｏｎ）という。ＤＣＩは、端末（ＵＥ）または端末グループのためのリソース割当情報及び他の制御情報を含む。例えば、ＤＣＩは、上りリンクリソース割当情報、下りリンクリソース割当情報及び上りリンク伝送電力制御命令などを含むことができる。
【００５３】
ＰＤＣＣＨは、下りリンク共有チャネル（ＤＬ−ＳＣＨ：Ｄｏｗｎｌｉｎｋ  Ｓｈａｒｅｄ  Ｃｈａｎｎｅｌ）の伝送フォーマット及びリソース割当情報、上りリンク共有チャネル（ＵＬ−ＳＣＨ：Ｕｐｌｉｎｋ  Ｓｈａｒｅｄ  Ｃｈａｎｎｅｌ）の伝送フォーマット及びリソース割当情報、ページングチャネル（ＰＣＨ：Ｐａｇｉｎｇ  Ｃｈａｎｎｅｌ）上のページング情報、ＤＬ−ＳＣＨ上のシステム情報、ＰＤＳＣＨ上で伝送されるランダムアクセス応答のような上位層制御メッセージに対するリソース割当情報、任意のＵＥグループ内における個別ＵＥに対する伝送電力制御命令集合、伝送電力制御命令、ＶｏＩＰ（Ｖｏｉｃｅ  ｏｆ  Ｉｎｔｅｒｎｅｔ  Ｐｒｏｔｏｃｏｌ）の活性化などに関する情報を運ぶことができる。
【００５４】
複数のＰＤＣＣＨが一つの制御領域で伝送されてもよく、ＵＥは、複数のＰＤＣＣＨをモニタすることができる。ＰＤＣＣＨは、一つ以上の連続した制御チャネル要素（ＣＣＥ：Ｃｏｎｔｒｏｌ  Ｃｈａｎｎｅｌ  Ｅｌｅｍｅｎｔ）上で伝送されてもよい。ＣＣＥは、無線チャネルの状態に基づいてＰＤＣＣＨを一つのコーディング率で提供するのに用いられる論理的割当リソースである。ＣＣＥは、複数のリソース要素グループ（ＲＥＧ）に対応する。ＰＤＣＣＨのフォーマット及びＰＤＣＣＨの可用ビットの個数は、ＣＣＥで提供されるコーディング率及びＣＣＥの個数間の相関関係によって決定される。基地局は、ＵＥに伝送されるＤＣＩによってＰＤＣＣＨフォーマットを決定し、制御情報にＣＲＣを付加する。
【００５５】
ＣＲＣは、ＰＤＣＣＨの使用方法または所有者に応じて固有の識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）と共にマスキングされる。ＰＤＣＣＨが特定ＵＥのためのものであれば、ＵＥの固有識別子（例えば、Ｃ−ＲＮＴＩ：Ｃｅｌｌ−ＲＮＴＩ）がＣＲＣにマスキングされる。ＰＤＣＣＨがページングメッセージのためのものであれば、ページング指示子識別子（例えば、Ｐ−ＲＮＴＩ：Ｐａｇｉｎｇ−ＲＮＴＩ）がＣＲＣにマスキングされる。また、ＰＤＣＣＨがシステム情報（特に、システム情報ブロック）のためのものであれば、システム情報識別子及びシステム情報ＲＮＴＩ（Ｓ−ＲＮＴＩ）がＣＲＣにマスキングされる。ＵＥのランダムアクセスブリアンブルの受信に対する応答であるランダムアクセス応答を指示するために、ランダムアクセスＲＮＴＩ（ＲＡ−ＲＮＴＩ）がＣＲＣにマスキングされてもよい。
【００５６】
キャリアアグリゲーション環境ではＰＤＣＣＨは一つ以上のコンポーネントキャリアを通じて伝送され、一つ以上のコンポーネントキャリアに関するリソース割当情報を含むことができる。例えば、ＰＤＣＣＨは、一つのコンポーネントキャリアを通じて伝送されるが、一つ以上のＰＤＳＣＨ及びＰＵＳＣＨに関するリソース割当情報を含むことができる。
【００５７】
図４は、本発明の実施例で使用可能な上りリンクサブフレーム構造の一例を示す図である。
【００５８】
図４を参照すると、上りリンクサブフレームは、複数（例、２個）のスロットを含む。スロットは、ＣＰ長によって異なる数のＳＣ−ＦＤＭＡシンボルを含むことができる。上りリンクサブフレームは、周波数領域でデータ領域と制御領域とに区別される。データ領域は、ＰＵＳＣＨ（Ｐｈｙｓｉｃａｌ  Ｕｐｌｉｎｋ  Ｓｈａｒｅｄ  Ｃｈａｎｎｅｌ）を含み、音声情報を含むデータ信号を伝送するのに用いられる。制御領域は、ＰＵＣＣＨ（Ｐｈｙｓｉｃａｌ  Ｕｐｌｉｎｋ  Ｃｏｎｔｒｏｌ  Ｃｈａｎｎｅｌ）を含み、上りリンク制御情報（ＵＣＩ：Ｕｐｌｉｎｋ  Ｃｏｎｔｒｏｌ  Ｉｎｆｏｒｍａｔｉｏｎ）を伝送するのに用いられる。ＰＵＣＣＨは、周波数軸においてデータ領域の両端部に位置しているＲＢ対（ＲＢ  ｐａｉｒ）を含み、スロットを境界にホッピングする。
【００５９】
ＬＴＥシステムにおいて端末は、単一搬送波特性を維持するために、ＰＵＣＣＨ信号とＰＵＳＣＨ信号を同時に伝送しない。しかし、ＬＴＥ−Ａシステムでは、端末の伝送モードによってＰＵＣＣＨ信号及びＰＵＳＣＨ信号を同一サブフレームで同時に伝送することができ、ＰＵＣＣＨ信号をＰＵＳＣＨ信号にピギーバックして伝送することもできる。
【００６０】
一つの端末に対するＰＵＣＣＨは、サブフレームでＲＢ対（ｐａｉｒ）に割り当てられ、ＲＢ対に属するＲＢは、２個のスロットのそれぞれにおいて互い異なる副搬送波を占める。これを、ＰＵＣＣＨに割り当てられるＲＢ対がスロット境界（ｓｌｏｔ  ｂｏｕｎｄａｒｙ）で周波数跳躍（ｆｒｅｑｕｅｎｃｙ  ｈｏｐｐｉｎｇ）するという。
【００６１】
次の制御情報を伝送するのにＰＵＣＣＨを用いることがてぎる。
【００６２】
−  ＳＲ（Ｓｃｈｅｄｕｌｉｎｇ  Ｒｅｑｕｅｓｔ）：ＵＬ−ＳＣＨリソースを要請するのに用いられる情報である。ＯＯＫ（Ｏｎ−Ｏｆｆ  Ｋｅｙｉｎｇ）方式を用いて伝送される。
【００６３】
−  ＨＡＲＱ  ＡＣＫ／ＮＡＣＫ：ＰＤＳＣＨ上の下りリンクデータパケット、またはＳＰＳ（Ｓｅｍｉ−Ｐｅｒｓｉｓｔｅｎｔ  Ｓｃｈｅｄｕｌｉｎｇ）解除（ｒｅｌｅａｓｅ）を指示するＰＤＣＣＨに対する応答信号である。下りリンクデータパケット、またはＳＰＳ解除を指示するＰＤＣＣＨが成功的に受信されたか否かを示す。単一下りリンクコードワードに対する応答としてＡＣＫ／ＮＡＣＫ  １ビットが伝送され、二つの下りリンクコードワードに対する応答としてＡＣＫ／ＮＡＣＫ  ２ビットが伝送される。ＴＤＤでは、複数の下りリンクサブフレームに対するＡＣＫ／ＮＡＣＫ応答が集められて、バンドリング（ｂｕｎｄｌｉｎｇ）あるいはマルチプレクシング（ｍｕｌｔｉｐｌｅｘｉｎｇ）を用いて一つのＰＵＣＣＨで伝送される。
【００６４】
−  ＣＱＩ（Ｃｈａｎｎｅｌ  Ｑｕａｌｉｔｙ  Ｉｎｄｉｃａｔｏｒ）またはＣＳＩ（Ｃｈａｎｎｅｌ  Ｓｔａｔｅ  Ｉｎｆｏｒｍａｔｉｏｎ）：下りリンクチャネルに対するフィードバック情報である。ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。サブフレーム当たり２０ビットが用いられる。
【００６５】
端末がサブフレームで伝送できる上りリンク制御情報（ＵＣＩ）の量は、制御情報伝送に使用可能なＳＣ−ＦＤＭＡの個数に依存する。制御情報伝送に使用可能なＳＣ−ＦＤＭＡは、サブフレームにおいて参照信号の伝送のためのＳＣ−ＦＤＭＡシンボルを除外した残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームでは、サブフレームの最後のＳＣ−ＦＤＭＡシンボルも除外される。参照信号は、ＰＵＣＣＨのコヒーレント検出に用いられる。ＰＵＣＣＨは、伝送される情報によって７個のフォーマットを支援する。
【００６６】
表１は、ＬＴＥにおいてＰＵＣＣＨフォーマットとＵＣＩとのマッピング関係を示すものである。
【００６７】
【表１】
0005845251.tif 000003
【００６８】
表１を参照すると、ＰＵＣＣＨフォーマットによるＵＣＩを確認できる。
【００６９】
２．マルチキャリアアグリゲーション（Ｍｕｌｔｉ−Ｃａｒｒｉｅｒ  Ａｇｇｒｅｇａｔｉｏｎ）環境
本発明の実施例で考慮する通信環境は、マルチキャリア（Ｍｕｌｔｉ−Ｃａｒｒｉｅｒ）支援環境を全て含む。すなわち、本発明で用いられるマルチキャリアシステムまたはキャリアアグリゲーションシステム（ｃａｒｒｉｅｒ  ａｇｇｒｅｇａｔｉｏｎ  ｓｙｓｔｅｍ）とは、広帯域を支援するために、目標とする広帯域を構成するときに、目標帯域よりも小さい帯域幅（ｂａｎｄｗｉｄｔｈ）を持つ１個以上のコンポーネントキャリア（ＣＣ：Ｃｏｍｐｏｎｅｎｔ  Ｃａｒｒｉｅｒ）を結合（ａｇｇｒｅｇａｔｉｏｎ）して用いるシステムのことを指す。
【００７０】
本発明でいうマルチキャリアは、キャリアアグリゲーション（または、キャリア結合）を意味し、ここで、キャリアアグリゲーションは、隣接したキャリア間の結合だけでなく、非隣接のキャリア間の結合も意味する。また、キャリア結合は、キャリアアグリゲーション、帯域幅結合などのような用語にしてもよい。
【００７１】
２個以上のコンポーネントキャリア（ＣＣ）が束ねられて構成されるマルチキャリア（すなわち、キャリアアグリゲーション）は、ＬＴＥ−Ａシステムでは１００ＭＨｚの帯域幅まで支援することを目標とする。目標帯域よりも小さい帯域幅を持つ１個以上のキャリアを結合するとき、結合するキャリアの帯域幅は、既存のＩＭＴシステムとの互換性（ｂａｃｋｗａｒｄ  ｃｏｍｐａｔｉｂｉｌｉｔｙ）を維持するために、既存のシステムで用いる帯域幅に制限することができる。
【００７２】
例えば、既存の３ＧＰＰ  ＬＴＥシステムでは、｛１．４、３、５、１０、１５、２０｝ＭＨｚの帯域幅を支援し、３ＧＰＰ  ＬＴＥ＿Ａｄｖａｎｃｅｄシステム（すなわち、ＬＴＥ＿Ａ）では、ＬＴＥで支援する上記の帯域幅のみを用いて２０ＭＨｚよりも大きい帯域幅を支援するようにすることができる。また、本発明で用いられるマルチキャリアシステムは、既存システムで用いる帯域幅にかかわらず、新しい帯域幅を定義してキャリア結合（すなわち、キャリアアグリゲーションなど）を支援するようにしてもよい。
【００７３】
図５は、ＬＴＥシステムのコンポーネントキャリア（ＣＣ）及びＬＴＥ−Ａシステムで用いられるマルチキャリアアグリゲーションの一例を示す図である。
【００７４】
図５（ａ）は、ＬＴＥシステムで用いられる単一キャリア構造を示す。コンポーネントキャリアには、下りリンクコンポーネントキャリア（ＤＬ  ＣＣ）と上りリンクコンポーネントキャリア（ＵＬ  ＣＣ）がある。一つのコンポーネントキャリアは２０ＭＨｚの周波数範囲を有することができる。
【００７５】
図５（ｂ）は、ＬＴＥ−Ａシステムで用いられるマルチキャリア構造を示す。図５（ｂ）では、２０ＭＨｚの周波数サイズを有する３個のコンポーネントキャリアが結合されている場合を示す。マルチキャリアアグリゲーションでは、端末は３個のコンポーネントキャリアを同時にモニタリングでき、下りリンク信号／データを受信でき、上りリンク信号／データを送信できる。
【００７６】
もし、特定セルでＮ個のＤＬ  ＣＣが管理される場合には、ネットワークは端末にＭ（Ｍ≦Ｎ）個のＤＬ  ＣＣを割り当てることができる。この場合、端末はＭ個の制限されたＤＬ  ＣＣのみをモニタリングし、ＤＬ信号を受信することができる。また、ネットワークはＬ（Ｌ≦Ｍ≦Ｎ）個のＤＬ  ＣＣに優先順位を付けて主なＤＬ  ＣＣを端末に割り当てることができ、このような場合に、ＵＥはＬ個のＤＬ  ＣＣは必ずモニタリングしなければならない。この方式は上りリンク伝送にも同一に適用される。
【００７７】
ＬＴＥ−Ａシステムは無線リソースを管理するためにセル（ｃｅｌｌ）の概念を用いる。セルは、下りリンクリソースと上りリンクリソースの組み合わせと定義され、上りリンクリソースは必須要素ではない。そのため、セルは、下りリンクリソース単独、または下りリンクリソース及び上りリンクリソースの両方で構成される。マルチキャリア（すなわち、キャリアアグリゲーション）が支援される場合に、下りリンクリソースのキャリア周波数（または、ＤＬ  ＣＣ）と上りリンクリソースのキャリア周波数（または、ＵＬ  ＣＣ）間のリンケージ（ｌｉｎｋａｇｅ）はシステム情報によって指示されるとよい。
【００７８】
ＬＴＥ−Ａシステムで用いられるセルは、プライマリセル（ＰＣｅｌｌ：Ｐｒｉｍａｒｙ  Ｃｅｌｌ）及びセカンダリセル（ＳＣｅｌｌ：Ｓｅｃｏｎｄａｒｙ  Ｃｅｌｌ）を含む。Ｐセルは、プライマリ周波数（または、ｐｒｉｍａｒｙ  ＣＣ）上で動作するセルを意味し、Ｓセルは、セカンダリ周波数（または、Ｓｅｃｏｎｄａｒｙ  ＣＣ）上で動作するセルを意味する。ただし、特定端末には、Ｐセルは一つのみ割り当てられ、Ｓセルは一つ以上割り当てられてもよい。
【００７９】
Ｐセルは、端末が初期接続確立（ｉｎｉｔｉａｌ  ｃｏｎｎｅｃｔｉｏｎ  ｅｓｔａｂｌｉｓｈｍｅｎｔ）過程を行ったり、接続再確立過程を行うのに用いられる。Ｐセルは、ハンドオーバー過程で指示されたセルを指すこともある。Ｓセルは、ＲＲＣ接続が確立された後に構成可能であり、追加の無線リソースを提供するのに用いることができる。
【００８０】
ＰセルとＳセルをサービングセルとして用いることができる。ＲＲＣ＿ＣＯＮＮＥＣＴＥＤ状態にあるが、キャリアアグリゲーションが設定されていないか、キャリアアグリゲーションを支援しない端末の場合は、Ｐセルのみで構成されたサービングセルが一つのみ存在する。一方、ＲＲＣ＿ＣＯＮＮＥＣＴＥＤ状態にあるとともに、キャリアアグリゲーションが設定された端末の場合は、一つ以上のサービングセルが存在でき、全体サービングセルにはＰセルと一つ以上のＳセルが含まれる。
【００８１】
初期保安活性化過程が始まった後に、Ｅ−ＵＴＲＡＮは、接続確立過程で初期に構成されるＰセルに加えて一つ以上のＳセルを含むネットワークを構成することができる。マルチキャリア環境で、Ｐセル及びＳセルはそれぞれのコンポーネントキャリアとして動作することができる。すなわち、キャリアアグリゲーションは、Ｐセル及び一つ以上のＳセルの結合として理解すればよい。以下の実施例では、プライマリコンポーネントキャリア（ＰＣＣ）はＰセルと同じ意味に用いられ、セカンダリコンポーネントキャリア（ＳＣＣ）はＳセルと同じ意味に用いられるとする。
【００８２】
３．制御チャネル一般
図６は、制御チャネル領域とデータチャネル領域の構造の一例を示す図である。
【００８３】
図６を参照すると、１無線フレームは１０サブフレームで構成され、１サブフレームは２スロットで構成されている。また、１スロットは７  ＯＦＤＭシンボルで構成されている。
【００８４】
ＬＴＥシステムの制御チャネルは、制御チャネル領域（ｎ個のＯＦＤＭシンボル、ｎ≦３）とデータチャネル領域とが時分割方式（例、ＴＤＭ）で区別されている状況で制御チャネル領域にのみマッピングされうる。制御チャネル領域には、制御チャネル（ＰＤＣＣＨ）の他、参照信号、ＰＣＦＩＣＨ及びＰＨＩＣＨなどがマッピングされてもよい。また、データチャネルはデータチャネル領域にのみマッピングされ、ＰＤＳＣＨなどがデータチャネル領域に割り当てられる。
【００８５】
図７は、ＰＤＣＣＨが制御チャネル領域にマッピングされる過程の一つを示す図である。
【００８６】
基地局（ｅＮＢ：ｅＮｏｄｅ−Ｂ）は、ＰＤＣＣＨを通じてＤＣＩを伝送することができる。基地局は、ＤＣＩフォーマットに従う情報ビットをエンコーディング（ｔａｉｌ  ｂｉｔｉｎｇ  ｃｏｎｖｏｌｕｔｉｏｎａｌ  ｃｏｄｉｎｇ）、レートマッチング（Ｒａｔｅ  Ｍａｔｃｈｉｎｇ）、モジュレーション（Ｍｏｄｕｌａｔｉｏｎ）過程を経て変調シンボル（Ｍｏｄｕｌａｔｉｏｎ  Ｓｙｍｂｏｌ）とする。
【００８７】
図７を参照すると、各変調シンボルをリソース要素（ＲＥ：Ｒｅｓｏｕｒｃｅ  Ｅｌｅｍｅｎｔ）にマッピングすることができる。４個のＲＥは一つのリソース割当グループ（ＲＥＧ：Ｒｅｓｏｕｒｃｅ  Ｅｌｅｍｅｎｔ  Ｇｒｏｕｐ）を構成する。ここで、ＲＥＧをクウォードラプレット（ｑｕａｄｒｕｐｌｅｔ）と呼ぶことができる。また、９個のＲＥＧが一つの制御チャネル要素（ＣＣＥ：Ｃｏｎｔｒｏｌ  Ｃｈａｎｎｅｌ  Ｅｌｅｍｅｎｔ）を構成する。基地局は、一つのＰＤＣＣＨ信号を構成するために｛１、２、４、８｝個のＣＣＥを用いることができ、この時の｛１、２、４、８｝をＣＣＥ結合レベル（Ｌ）と呼ぶ。
【００８８】
基地局は、ＣＣＥで構成された制御チャネルをＲＥＧ単位にインターリービングし、セル識別子（Ｃｅｌｌ  ＩＤ）に基づくサイクリックシフト（Ｃｙｃｌｉｃ  Ｓｈｉｆｔ）を行った後に物理リソースにマッピングする。ＬＴＥでは、端末が基地局から伝送された制御チャネルを受信するために自身のＰＤＣＣＨがどの位置でどんなＣＣＥ結合レベルやＤＣＩフォーマットで伝送されるのかわからず、端末は、ＰＤＣＣＨをデコーディングするためにサーチスペース（ＳＳ：Ｓｅａｒｃｈ  Ｓｐａｃｅ）に対してブラインドデコーディング（ＢＤ：Ｂｌｉｎｄ  Ｄｅｃｏｄｉｎｇ）を行う。
【００８９】
ブラインドデコーディングは、端末がＣＲＣ部分に自身の端末識別子（ＵＥ  ＩＤ）をデマスキング（Ｄｅ−Ｍａｓｋｉｎｇ）した後、ＣＲＣエラーを検討して当該ＰＤＣＣＨが自身の制御チャネルなのか否かを確認する方法のことをいう。ＬＴＥシステム及びＬＴＥ−Ａシステムでは、端末のブラインドデコーディングのためにサーチスペース（ＳＳ）概念が定義される。
【００９０】
図８は、ＬＴＥシステムで用いられるサーチスペースの一例を示す図である。
【００９１】
図８を参照すると、サーチスペースは、共用サーチスペース（ＣＳＳ：Ｃｏｍｍｏｎ  Ｓｅａｒｃｈ  Ｓｐａｃｅ）及び端末特定サーチスペース（ＵＳＳ：ＵＥ−ｓｐｅｃｉｆｉｃ  Ｓｅａｒｃｈ  Ｓｐａｃｅ）で構成されている。図８のように、共用サーチスペース（ＣＳＳ）はＣＣＥインデックス０〜１５まで１６個のＣＣＥで構成され、｛４、８｝の結合レベルを有するＰＤＣＣＨを支援する。端末特定サーチスペース（ＵＳＳ）は、ＣＣＥインデックス０〜ＮＣＣＥ−１までのＣＣＥで構成され、｛１、２、４、８｝の結合レベルを有するＰＤＣＣＨを支援する。
【００９２】
共用サーチスペースのＣＣＥインデックスが０〜１５であり、端末特定サーチスペースを構成可能なＣＣＥインデックス領域は０〜ＮＣＣＥ−１まで占めることができるということは、共用サーチスペースと端末特定サーチスペースとが重なる場合があるということを意味する。端末は、端末特定サーチスペースの中から自身のＰＤＣＣＨを探すためにＢＤを行うことができる。そのために、端末は、ＣＣＥ結合レベル（Ｌ）及び自身の端末識別子（ＵＥ  ＩＤ）を用いて、ブラインドデコーディングを始める端末特定サーチスペースの開始点を計算する。この時、端末特定サーチスペースに対する開始点のＣＣＥインデックスが０〜１５であると、共用サーチスペースと重なった端末特定サーチスペースが構成される場合である。
【００９３】
ＬＴＥシステムにおいてＣＳＳとＵＳＳの構成は下記の表２のようにする。
【００９４】
【表２】
0005845251.tif 000004
【００９５】
以下では、ＤＬ割当（Ｄｏｗｎｌｉｎｋ  Ａｓｓｉｇｎｍｅｎｔ）及びＵＬグラント（Ｕｐｌｉｎｋ  Ｇｒａｎｔ）などのＤＬ／ＵＬスケジューリング割当情報に対するＰＤＣＣＨ、すなわち、ＤＣＩフォーマットの種類とＤＣＩフォーマットの伝送可能サーチスペースとの関係について説明する。
【００９６】
端末がＣ−ＲＮＴを用いてＣＲＣスクランブリングされたＰＤＣＣＨをデコーディングするように構成されると、端末は、下記の表３で定義された組み合わせによってＰＤＣＣＨをデコーディングすることができる。また、端末は、これに対応するＰＵＳＣＨを伝送することができる。
【００９７】
【表３】
0005845251.tif 000005
【００９８】
表３を参照すると、端末は、ＰＤＣＣＨに対応するＰＵＳＣＨに対するスクランブリング開始及び同一伝送ブロックに対するＰＵＳＣＨ再伝送をＣ−ＲＮＴＩを用いて行うことができる。
【００９９】
端末がＣ−ＲＮＴＩを用いてＣＲＣスクランブリングされたＰＤＣＣＨをデコーディングするように上位層で構成され、下りリンクデータ受信のためにＰＤＣＣＨを受信するように構成されると、端末は、下記の表４に従うＰＤＣＣＨをデコーディングすることができる。
【０１００】
【表４】
0005845251.tif 000006
【０１０１】
端末がＣ−ＲＮＴＩでＣＲＣスクランブリングされたＰＤＣＣＨをデコーディングするように上位層で設定された場合に、端末は、下記の表５で定義される組み合わせに従ってＰＤＣＣＨ及び対応するＰＤＳＣＨをデコーディングすることが好ましい。
【０１０２】
【表５】
0005845251.tif 000007
【０１０３】
表５を参照すると、ＰＤＣＣＨに対応するＰＤＳＣＨのスクランブリングの開始をＣ−ＲＮＴＩで行うことができる。端末が伝送モード３または４で構成され、ＤＣＩフォーマット１Ａ割当を受信すると、ＰＤＳＣＨ伝送は伝送ブロック１と関連し、伝送ブロック２は捨てられてもよい。端末が伝送モード７で構成されると、ＰＤＣＣＨに対応するＵＳＳ参照信号のスクランブリング開始はＣ−ＲＮＴＩで行われる。
【０１０４】
表５で、伝送モードは次の７個の伝送モードを有することができる。
【０１０５】
（１）単一アンテナポート（すなわち、ポート０）、（２）伝送ダイバーシティ（Ｔｒａｎｓｍｉｔ  Ｄｉｖｅｒｓｉｔｙ）、（３）開ループ空間多重化（Ｏｐｅｎ−ｌｏｏｐ  Ｓｐａｔｉａｌ  Ｍｕｌｔｉｐｌｅｘｉｎｇ）、（４）閉ループ空間多重化（Ｃｌｏｓｅｄ−ｌｏｏｐ  Ｓｐａｔｉａｌ  Ｍｕｌｔｉｐｌｅｘｉｎｇ）、（５）マルチユーザーＭＩＭＯ、（６）閉ループランク＝１プリコーディング、及び（７）単一アンテナポート（すなわち、ポート５）。
【０１０６】
端末は、ＰＤＣＣＨを通じてシグナリングされたＰＤＳＣＨデータ伝送を受信するために上位層から半静的に構成されるとよい。この場合、端末は上記７個の伝送モードのいずれか一つで端末特定サーチスペース（ＵＳＳ）をデコーディングすることができる。
【０１０７】
また、ＤＣＩフォーマットは、各フォーマット別に次のような目的によってそれぞれ区別される。
【０１０８】
例えば、ＤＣＩフォーマット０は、ＰＵＳＣＨスケジューリングのために用いられ、ＤＣＩフォーマット１は、ＰＤＳＣＨコードワードのスケジューリングのために用いられ、ＤＣＩフォーマット１Ａは、ＰＤＳＣＨコードワード及びＰＤＣＣＨ順序によって開始されるランダムアクセス過程のうち一つの圧縮スケジューリング（Ｃｏｍｐａｃｔ  Ｓｃｈｅｄｕｌｉｎｇ）のために用いられ、ＤＣＩフォーマット１Ｂは、プリコーディング情報と共にＰＤＳＣＨコードワードの圧縮スケジューリングのために用いられ、ＤＣＩフォーマット１Ｃは、ＰＤＳＣＨコードワードの圧縮スケジューリングのために用いられ、ＤＣＩフォーマット１Ｄは、プリコーディング及び電力オフセット情報と共にＰＤＳＣＨコードワードの圧縮スケジューリングのために用いられ、ＤＣＩフォーマット２は、閉ループ空間多重化モードに設定された端末に対するＰＤＳＣＨスケジューリングのために用いられ、ＤＣＩフォーマット２Ａは、開ループ空間多重化モードに設定された端末に対するＰＤＳＣＨスケジューリングのために用いられ、ＤＣＩフォーマット３は、２ビット電力調整と共にＰＵＳＣＨ及びＰＵＣＣＨのためのＴＰＣ命令の伝送のために用いられ、単一ビット電力調整と共にＰＵＣＣＨ及びＰＵＳＣＨに対するＴＰＣ命令の伝送のために用いられる。
【０１０９】
以上で説明したＰＤＣＣＨ伝送過程及びサーチスペースを用いたブラインドデコーディングは、ＬＴＥシステムのＦＤＤ方式において用いることができる。この場合、端末は一つの下りリンク（ＤＬ）キャリア及び上りリンク（ＵＬ）キャリアを用いて制御チャネル及びデータチャネルを送受信するので、上記の動作は単一キャリアで行われる。
【０１１０】
しかし、ＬＴＥ−Ａ（ＬＴＥ−Ａｄｖａｎｃｅｄ）システムでは、既存のＬＴＥシステムよりも広帯域のシステム帯域幅を支援するためにキャリアアグリゲーション（ＣＡ：Ｃａｒｒｉｅｒ  Ａｇｇｒｅｇａｔｉｏｎ）のような方法を用いることができる。この場合には、キャリアアグリゲーション技術が既存のシステムの伝送方法にも適用されうるような伝送方法が必要である。特に、キャリアアグリゲーション（ＣＡ）を用いるシステムにおいて単一キャリアのみを用いて送受信するレガシーＬＴＥ端末及びＬＴＥ−Ａ端末（特に、ＵＥ性能定義によって単一コンポーネントキャリアのみを支援するＬＴＥ−Ａ端末が定義される場合）とキャリアアグリゲーションを用いるＬＴＥ−Ａ端末とが混在する場合に、ＬＴＥ−Ａ端末のための適切な制御チャネルの送受信方法が必要である。
【０１１１】
４．クロスキャリアスケジューリング
キャリアアグリゲーション（ＣＣ）を用いるＬＴＥ−Ａシステムにおいて制御チャネルを伝送する方法として、端末が、各コンポーネントキャリア別ＰＤＣＣＨを別々にエンコーディングして伝送する個別コーディング（ｓｅｐａｒａｔｅ  ｃｏｄｉｎｇ）及び２以上のＣＣをエンコーディングして伝送するジョイントコーディング（ｊｏｉｎｔ  ｃｏｄｉｎｇ）方法を考慮することができる。本発明の実施例では、個別コーディングの場合に対するサーチスペースの構成方法を提案する。各ＣＣ別個別コーディングされたＰＤＣＣＨをマルチキャリア上で伝送する方法には、下記のような方法１ａ、１ｂがある。
【０１１２】
１ａ）一つのＰＤＣＣＨは、同じコンポーネントキャリア上の割当のみを指示することができる。
【０１１３】
１ｂ）一つのＰＤＣＣＨは、同じコンポーネントキャリアまたは他のコンポーネントキャリア上の割当を指示することができる。
【０１１４】
１ａ方法の場合、ＰＤＣＣＨは、該ＰＤＣＣＨが伝送されたＣＣ（または、サービングセル）と同じＣＣ上に割り当てられたＰＤＳＣＨを指示し、１ｂ方法の場合、ＰＤＣＣＨは、該ＰＤＣＣＨが伝送されたＣＣ（または、サービングセル）にかかわらず、任意のＣＣに割り当てられたＰＤＳＣＨを指示することができる。
【０１１５】
ＰＵＳＣＨ伝送の側面からいうと、方法１ａの場合は、ＰＤＣＣＨが伝送されるＤＬ  ＣＣとＰＵＳＣＨが伝送されるＵＬ  ＣＣ間の固定されたリンケージ（Ｌｉｎｋａｇｅ）が設定されており、特定ＵＬ  ＣＣで伝送されるＰＵＳＣＨに対するＰＤＣＣＨは、これと連結されたＤＬ  ＣＣに）でのみ伝送される方法である。また、１ｂの場合には、基地局は、ＰＵＳＣＨが伝送されるＵＬ  ＣＣとＤＬ  ＣＣとのリンケージにかかわらず、任意のＤＬ  ＣＣでＵＬグラントを伝送することができる。１ａによる伝送方法をセルフスケジューリング（Ｓｅｌｆ−Ｓｃｈｅｄｕｌｉｎｇ）方法と呼び、１ｂによる伝送方法をクロスキャリアスケジューリング方法と呼ぶことができる。
【０１１６】
ＬＴＥ  Ｒｅｌ−８規格（すなわち、ＬＴＥシステム）で定義するＰＤＣＣＨ構造及びＤＣＩフォーマットではクロスキャリアスケジューリングを支援しない。すなわち、セルフスケジューリング方法では、既存のＬＴＥシステムのＤＣＩフォーマットとＰＤＣＣＨ伝送構造（同一コーディング方法及び同一ＣＣＥベースのリソースマッピング）をそのまま用いる。例えば、コンポーネントキャリア上のＰＤＣＣＨは、ＰＤＳＣＨリソースを同じコンポーネントキャリアに割り当て、ＰＵＳＣＨリソースを、連係しているＵＬコンポーネントキャリア上に割り当てる。この場合には、キャリア指示子フィールド（ＣＩＦ：Ｃａｒｒｉｅｒ  Ｉｎｄｉｃａｔｏｒ  Ｆｉｅｌｄ）が不要である。また、関連したＰＤＳＣＨ伝送とＵＬ  Ａ／Ｎ、ＰＵＳＣＨ伝送及びＰＨＩＣＨ伝送方法も、ＬＴＥ  Ｒｅｌ−８規格の内容をそのまま従うことになる。
【０１１７】
ＬＴＥ−Ａシステム（すなわち、ＬＴＥ  Ｒｅｌ−１０規格）で定義するＰＤＣＣＨ構造及びＤＣＩフォーマットではクロスキャリアスケジューリングを支援できる。すなわち、ＰＤＣＣＨ（ＤＬ  Ｇｒａｎｔ）とＰＤＳＣＨがそれぞれ異なるＤＬ  ＣＣで伝送されたり、ＤＬ  ＣＣで伝送されたＰＤＣＣＨ（ＵＬ  Ｇｒａｎｔ）に従って伝送されるＰＵＳＣＨが、ＵＬグラントを受信したＤＬ  ＣＣと連係しているＵＬ  ＣＣではなく、他のＵＬ  ＣＣを通じて伝送されたりする場合を含むことができる。この場合には、ＰＤＣＣＨに該ＰＤＣＣＨが指示するＰＤＳＣＨ／ＰＵＳＣＨがどのＤＬ／ＵＬ  ＣＣを通じて伝送されるかを知らせるキャリア指示子フィールド（ＣＩＦ）が必要である。例えば、ＰＤＣＣＨは、ＰＤＳＣＨリソースまたはＰＵＳＣＨリソースをキャリア指示子フィールドを用いて多数のコンポーネントキャリアのいずれか一つに割り当てることができる。そのために、ＬＴＥ−ＡシステムのＤＣＩフォーマットは１乃至３ビット（好ましくは、固定された３ビット）のＣＦＩによって拡張されるとよく、ＬＴＥ  Ｒｅｌ−８のＰＤＣＣＨ構造を再使用することができる。また、クロスキャリアスケジューリングに従ってＰＤＳＣＨ伝送とＵＬ  Ａ／Ｎ、ＰＵＳＣＨ伝送及びＰＨＩＣＨ伝送に、既存システムとは異なる変化が必要な場合もある。
【０１１８】
クロスキャリアスケジューリングの許容は、端末特定（ＵＥ−ｓｐｅｃｉｆｉｃ）、端末グループ特定（ＵＥ  ｇｒｏｕｐ−ｓｐｅｃｉｆｉｃ）またはセル特定（ｃｅｌｌ−ｓｐｅｃｉｆｉｃ）に決定でき、クロスキャリアスケジューリングの動作を半静的（ｓｅｍｉ−ｓｔａｔｉｃ）に変更（ｔｏｇｇｌｉｎｇ）することによってシグナリングオーバーヘッド（ｓｉｇｎａｌｉｎｇ  ｏｖｅｒｈｅａｄ）を減らすことができる。これにより、クロスキャリアスケジューリングの許容、すなわち活性化／非活性化（ａｃｔｉｖａｔｉｏｎ／ｄｅ−ａｃｔｉｖａｔｉｏｎ）によるＣＩＦのサイズを半静的に設定することができる。これは、ＬＴＥ  Ｒｅｌ−８で端末特定伝送モードが半静的に決定されることに似ている。
【０１１９】
クロスキャリアスケジューリングが非活性化された場合は、ＰＤＣＣＨモニタリング集合が常にＵＥ  ＤＬ  ＣＣ集合と同一であるということを意味し、この場合には、ＰＤＣＣＨモニタリングセットに対する別途のシグナリングのような指示が必要でない。クロスキャリアスケジューリングが活性化された場合は、ＰＤＣＣＨモニタリング集合がＵＥ  ＤＬ  ＣＣ集合内で定義されることが好ましく、この場合には、ＰＤＣＣＨモニタリングセットに対する別途のシグナリングのような指示が必要である。
【０１２０】
上述したＰＤＣＣＨ伝送方法１ａを用いる場合には、ＰＤＣＣＨが常にＰＤＳＣＨの伝送されるＣＣでのみ伝送されるので、既存の単一キャリアベースのサーチスペースをそのまま使用すればよい。
【０１２１】
しかし、ＰＤＣＣＨ伝送方法１ｂを用いる場合には、ＰＤＣＣＨが、ＰＤＳＣＨが伝送されるＣＣにかかわらずに任意のＣＣで伝送されることがあるので、一つの端末が一つのＣＣ内で同一のＤＣＩフォーマットに対する複数個のＰＤＣＣＨを受信する必要がある。また、ＰＤＳＣＨが伝送される一つ以上のＤＬ  ＣＣのそれぞれの伝送モードが異なっている場合には（例えば、上述した７個の伝送モードの他に、ＬＴＥ−Ａシステムで定義される新しい伝送モードも含む。）、一つの端末が、ＰＤＣＣＨが伝送されるＤＬ  ＣＣでそれぞれ異なるＤＣＩフォーマットに対する複数個のＰＤＣＣＨを受信しなければならないこともある。
【０１２２】
また、ＰＤＳＣＨが伝送される一つ以上のＤＬ  ＣＣにおいていずれも同一の伝送モードを用いる場合に、各端末は、各ＤＬ  ＣＣの帯域幅が異なる場合には、同一のＤＣＩフォーマットであっても、異なったＤＣＩフォーマットのペイロード長に対して複数個のＰＤＣＣＨに対するブラインドデコーディングを行わなければならない。すなわち、クロスキャリアスケジューリングを使用し、各キャリア別伝送モード及び帯域幅によって各端末が各ＤＬ  ＣＣサブフレームで一つ以上のＤＣＩフォーマットに対する一つ以上のＰＤＣＣＨを受信することが好ましい。したがって、これを支援できるサーチスペースの構成方法及び端末のＰＤＣＣＨ受信動作の定義が必要である。
【０１２３】
キャリアアグリゲーションを支援するシステムにおいて効果的な端末の制御情報、データ情報の送受信及びクロスキャリアスケジューリングを支援するために、次のような端末ＤＬ  ＣＣ集合（ＵＥ  ＤＬ  ＣＣ  ｓｅｔ）、端末ＵＬ  ＣＣ集合（ＵＥ  ＵＬ  ＣＣ  Ｓｅｔ）及びＰＤＣＣＨモニタリング集合（ＰＤＣＣＨ  ｍｏｎｉｔｏｒｉｎｇ  ｓｅｔ）を定義することができる。
【０１２４】
−  端末ＤＬ  ＣＣ集合は、端末がＰＤＳＣＨ信号を受信するためにスケジューリングされたＤＬコンポーネントキャリアの集合で、上位層シグナリングにより各端末専用に構成可能である。
【０１２５】
−  端末ＵＬ  ＣＣ集合は、ＰＵＳＣＨ信号を伝送するためにスケジューリングされたＵＬコンポーネントキャリアの集合である。
【０１２６】
−  ＰＤＣＣＨモニタリング集合は、端末ＤＬ  ＣＣ集合及び端末ＵＬ  ＣＣ集合とは別個の集合で、端末ＤＬ  ＣＣ集合内にまたは端末ＤＬ  ＣＣ集合の一部を含むように構成することができる（すなわち、ＰＤＣＣＨ  ｍｏｎｉｔｏｒｉｎｇ  ｓｅｔ⊂ＵＥ  ＤＬ  ＣＣ  ｓｅｔ）。または、ＰＤＣＣＨモニタリング集合は、端末ＤＬ  ＣＣ集合と他のＣＣの中から一つ以上のＣＣをＰＤＣＣＨモニタリング集合に設定してもよい。ＰＤＣＣＨモニタリング集合は、端末特定またはセル特定に設定することができる。
【０１２７】
この場合、端末は、ＰＤＣＣＨを受信するように構成されていないＤＬ  ＣＣではブラインドデコーディングを行う必要がなく、よって、端末のＰＤＣＣＨ検出失敗確率を下げることができる。したがって、ＰＤＣＣＨモニタリング集合は次のような特徴を有する。
【０１２８】
−  端末がＰＤＣＣＨをモニターするために要求されるＤＬ  ＣＣの集合。
【０１２９】
−  ＰＤＣＣＨモニタリング集合のサイズは、端末ＤＬ  ＣＣ集合のサイズより小さい、または等しいし、端末ＤＬ  ＣＣ集合に含まれたＣＣでのみ構成可能である。
【０１３０】
図９は、ＰＤＣＣＨモニタリング集合のコンポーネントキャリアと端末ＤＬ／ＵＬ  ＣＣ集合とのリンケージの一例を示す図である。
【０１３１】
各端末別ＵＥ  ＤＬ／ＵＬ  ＣＣ集合とＰＤＣＣＨモニタリング集合が存在する場合に、ＵＥ  ＤＬ／ＵＬ  ＣＣ集合とＰＤＣＣＨモニタリング集合に含まれるＣＣとの間にＰＤＣＣＨ、ＰＤＳＣＨ／ＰＵＳＣＨ伝送に対するリンケージ（ｌｉｎｋａｇｅ）を設定することができる。例えば、端末ＤＬ  ＣＣ集合としてＤＬ  ＣＣ４個（ＤＬ  ＣＣ  ＃１、＃２、＃３、＃４）、端末ＵＬ  ＣＣ集合としてＵＬ  ＣＣ２個（ＵＬ  ＣＣ  ＃１、＃２）及びＰＤＣＣＨモニタリング集合としてＤＬ  ＣＣ２個（ＤＬ  ＣＣ  ＃２、＃３）が任意の端末に割り当てられたと仮定する。
【０１３２】
この場合、ＰＤＣＣＨモニタリング集合内のＤＬ  ＣＣ  ＃２を通じて端末ＤＬ  ＣＣ集合のＤＬ  ＣＣ  ＃１及び＃２、端末ＵＬ  ＣＣ集合のＵＬ  ＣＣ  ＃１に伝送されるＰＤＳＣＨ信号及びＰＵＳＣＨ信号に対するＰＤＣＣＨ信号が伝送され、ＰＤＣＣＨモニタリング集合内のＤＬ  ＣＣ  ＃３を通じて端末ＤＬ  ＣＣ集合のＤＬ  ＣＣ  ＃３及び＃４、端末ＵＬ  ＣＣ集合のＵＬ  ＣＣ  ＃２を通じて伝送されるＰＤＳＣＨ信号及びＰＵＳＣＨ信号に対するＰＤＣＣＨ信号を伝送するようにすることができる。
【０１３３】
図９を参照すると、縦ハッチのＣＣ同士がＰＤＣＣＨ信号とＰＤＳＣＨ信号及びＰＵＳＣＨ信号伝送のリンケージを有し、横ハッチのＣＣ同士がＰＤＣＣＨ信号とＰＤＳＣＨ信号及びＰＵＳＣＨ信号伝送のリンケージを有することができる。このように、ＰＤＣＣＨ信号が伝送されるコンポーネントキャリアと共有チャネル信号が伝送されるコンポーネントキャリアとの間のリンケージ情報は、セル特定リンケージによって決定されてもよく、端末特定シグナリングを通じて伝送されてもよい。
【０１３４】
また、ＰＤＣＣＨ信号が伝送されるＣＣとＰＤＳＣＨ信号が伝送されるＣＣ間のリンケージ、及びＰＤＣＣＨ信号が伝送されるＣＣとＰＵＳＣＨ信号が伝送されるＣＣ間のリンケージの両方を設定するのではなく、ＰＤＣＣＨ信号が伝送されるＣＣとＰＤＳＣＨ信号が伝送されるＣＣ間のリンケージのみを設定した後、ＰＵＳＣＨ信号の伝送は、リンケージされた集合に含まれているＰＤＳＣＨ信号を伝送するＣＣと連結されたＵＬ  ＣＣ集合内に限定してもよい。
【０１３５】
ＰＤＣＣＨ信号が伝送されるＣＣと共有チャネル信号が伝送されるＣＣとの間のリンケージ情報が伝送される場合には、端末は、端末ＤＬ／ＵＬ  ＣＣ集合で伝送可能な共有チャネルに対するスケジューリング割当情報を受信するために、ＰＤＣＣＨモニタリング集合に設定された全てのＤＬ  ＣＣ内でブラインドデコーディングを行わなければならない。これは過度なブラインドデコーディング動作を要求することになり、端末の電力消耗と処理遅延の側面で好ましくない。したがって、本発明の実施例では、ＬＴＥシステムに比べて端末のブラインドデコーディング回数を増加させないサーチスペースを構成することが必要である。
【０１３６】
表２を参照すると、ＬＴＥシステムの端末特定サーチスペース（ＵＳＳ）は、ＣＣＥ結合レベル１及び２に対してそれぞれ６個の候補ＰＤＣＣＨを有し、結合レベル４及び８に対してそれぞれ２個の候補ＰＤＣＣＨを有するように定義されている。また、端末は、共用サーチスペース（ＣＳＳ）では、結合レベル４及び８に対してそれぞれ４個及び２個の候補ＰＤＣＣＨでブラインドデコーディングを行うように定義されている。
【０１３７】
すなわち、ＬＴＥシステムでは、ＤＬ／ＵＬ単一キャリアベースにＰＤＣＣＨ信号及びＰＤＳＣＨ信号が伝送されるコンポーネントキャリア（ＣＣ）が同一であり、ＰＤＣＣＨ信号及びＰＵＳＣＨ信号が伝送されるＣＣは、ＤＬ−ＵＬリンケージによって固定されている。
【０１３８】
クロスキャリアスケジューリングを用いてＰＤＣＣＨを伝送する場合には、一つのＤＬ  ＣＣに１端末に対して複数のＰＤＣＣＨが伝送されることがあるため、ＬＴＥシステムで定義されている候補ＰＤＣＣＨでは複数個のＰＤＣＣＨを全てスケジューリングすることができない。また、複数個のＰＤＣＣＨをスケジューリングする際に、柔軟性が低下し、ＰＤＣＣＨブロッキング確率（ｂｌｏｃｋｉｎｇ  ｐｒｏｂａｂｉｌｉｔｙ）が高くなることがある。これは、制限された候補ＰＤＣＣＨで構成されるサーチスペース内で既存のＬＴＥ  Ｒｅｌ−８システムに比べてより多い数のＰＤＣＣＨを伝送しなければならないからである。
【０１３９】
また、異種網のような多重セル（ｍｕｌｔｉ−ｃｅｌｌ）環境で干渉調整（ｉｎｔｅｒｆｅｒｅｎｃｅ  ｃｏｏｒｄｉｎａｔｉｏｎ）などの目的でＰＤＣＣＨ信号のないキャリアが存在する場合や、任意のセルのキャリア構成（ｃａｒｒｉｅｒ  ｃｏｎｆｉｇｕｒａｔｉｏｎ）上で制御チャネルを伝送できるキャリアが制限されている場合には、特定ＤＬ  ＣＣに多くのＰＤＣＣＨが集まることになる。そのため、制御領域（ｃｏｎｔｒｏｌ  ｒｅｇｉｏｎ）に含まれたリソースでは、限定されたサーチスペースの量が絶対的なリソース観点から足りなくなることがある。
【０１４０】
そこで、以下では、キャリアアグリゲーション（ＣＡ）及びクロスキャリアスケジューリングを用いてＰＤＣＣＨ信号を伝送する場合に、端末がブラインドデコーディングを行うサーチスペースが足りない状況を解決するための種々の方法について開示する。
【０１４１】
５．候補ＰＤＣＣＨの拡張
クロスキャリアスケジューリングを支援する無線接続システムにおいて一つのＤＬ  ＣＣを通じて特定端末に対する複数個のＰＤＣＣＨを伝送することができる。本発明の実施例では、特定端末に対するＰＤＣＣＨを效率的に伝送するために、端末特定サーチスペース（ＵＳＳ）を構成する候補ＰＤＣＣＨ個数を増やす方法について説明する。すなわち、ＵＳＳを確保するために各ＣＣＥ結合レベル（Ｌ）別に候補ＰＤＣＣＨ個数を増やす方案について説明する。
【０１４２】
本発明の実施例で定義する任意の個数の候補ＰＤＣＣＨで定義される拡張されたサーチスペースを、個別キャリア（または、サービングセル）別に区別して定義することができる。
【０１４３】
基地局のプロセッサに含まれたスケジューラは、該当の端末に設定した個別的なキャリア別に区分及び定義されるサーチスペースを通じて、該当のキャリアに対するＤＬチャネル割当（ｃｈａｎｎｅｌ  ａｓｓｉｇｎｍｅｎｔ）ＰＤＣＣＨまたはＵＬグラント（ｇｒａｎｔ）ＰＤＣＣＨを伝送することができる。また、端末は、個別キャリア別に区分されて定義される拡張されたサーチスペース領域で任意のキャリアに対するＤＬチャネル割当ＰＤＣＣＨまたはＵＬグラントＰＤＣＣＨを検索するためにブラインドデコーディングを行うことができる。
【０１４４】
本発明の実施例において、設定キャリアのインデックス上で１番目のキャリアまたは基準になる一連のキャリア（例えば、ＰＣＣ、アンカーＣＣまたはセルフスケジューリングＣＣ）のＳＳ開始点（ｓｔａｒｔｉｎｇ  ｐｏｉｎｔ）を、任意のＵＥに対するハッシュ関数の結果として指定することができる。ただし、残りのキャリアに対するＳＳ開始点は、連続的に続いて定義したり、上記ハッシュ関数で指定される基準キャリアの開始点から固定のオフセット値（ｏｆｆｓｅｔ値は整数）をもって２番目のキャリアに対するサーチスペースの開始点を定義することができる。また、このような方式で残りのＣＣに対するサーチスペースの開始点を定義すればよい。
【０１４５】
したがって、一つのＰＤＣＣＨモニタリングＣＣ集合でスケジューリングの対象となるＰＤＳＣＨ／ＰＵＳＣＨ  ＣＣのうち、ＣＣインデックスが最も低いＣＣに対する、または基準になるＰＣＣ（ｐｒｉｍａｒｙ  ＣＣ）、アンカーＣＣまたはセルフスケジューリングＣＣに対するサーチスペースは、ＬＴＥ  Ｒｅｌ−８システムのＳＳ開始点を計算するハッシュ関数に基づいて算出することができる。また、同一のＰＤＣＣＨモニタリングＣＣ集合でスケジューリングできる残りのＰＤＳＣＨ／ＰＵＳＣＨ  ＣＣに対するサーチスペースは、ハッシュ関数に基づいて構成されたＳＳに連続的（ｃｏｎｓｅｃｕｔｉｖｅ）に続いて構成するか、特定オフセット値を適用して構成することができる。
【０１４６】
図１０は、本発明の実施例として、スケジューリングされたコンポーネントキャリアのサーチスペースを構成する一方法を示す図である。
【０１４７】
クロスキャリアスケジューリングでは、基地局は、一つのＰＤＣＣＨモニタリングＣＣで一つ以上のＰＤＳＣＨ  ＣＣ、ＰＵＳＣＨ  ＣＣに対するグラント（ｇｒａｎｔ）情報を端末に伝送する。この時、ハッシング関数（ｈａｓｈｉｎｇ  ｆｕｎｃｔｉｏｎ）に基づいてサーチスペース（ＳＳ）が構成される場合に、ＳＳとしてスケジュールされたＣＣは、（１）複数のスケジュールされたＣＣのうち、最低のＣＣインデックスを有するＣＣ、（２）セルフスケジューリングＣＣ、または（３）プライマリＣＣ（Ｐｒｉｍａｒｙ  ＣＣ）のいずれかを基準にスケジューリングされるとよい。
【０１４８】
図１０を参照すると、ＰＤＳＣＨ  ＣＣ  ＃Ａは、ＣＣインデックスまたはＣＩＦ値が０であり、ＰＤＳＣＨ  ＣＣ  ＃Ｂは、ＣＣインデックスまたはＣＩＦ値が２であり、ＰＤＳＣＨ  ＣＣ  ＃Ｃは、ＣＣインデックスまたはＣＩＦ値が１である。そのため、ＳＳは、ＣＣインデックスまたはＣＩＦの順番に従ってＣＣ  ＃Ａ、ＣＣ  ＃Ｃ及びＣＣ  ＃Ｂの順に連続して構成されている。
【０１４９】
上記のような基準にハッシング関数を用いて特定ＣＣに対するＳＳを構成した時に、残りのスケジュールされたＣＣに対するＳＳ構成方法について説明する。特に、クロスキャリアスケジュールされたＰＤＣＣＨに対するＳＳを連続的に（ｃｏｎｓｅｃｕｔｉｖｅ）構成する場合に、ハッシング関数に基づいて構成した基準ＳＳ以外の残りスケジュールされたＣＣに対するＳＳは、基準ＳＳから構成可能である。
【０１５０】
複数のスケジュールされたＣＣのうち、最も低いＣＣインデックスを有するＣＣに対するＳＳをハッシュ関数を用いて構成した場合に、残りスケジュールされたＣＣのうち、最も低いＣＣインデックスを有するＣＣに対するＳＳを基準ＳＳの次に構成した後、昇順のＣＣインデックスを有するＣＣに対するＳＳを連続して構成することができる。
【０１５１】
セルフスケジューリング（Ｓｅｌｆ−ｓｃｈｅｄｕｌｉｎｇ）ＣＣやＰＣＣ（ｐｒｉｍａｒｙ  ＣＣ）に対するＳＳをハッシュ関数を用いて構成した場合に、セルフスケジューリングＣＣ、ＰＣＣ以外の残りスケジュールされたＣＣのうち、最も低いＣＣインデックスを有するＣＣに対するＳＳを基準ＳＳの次に構成した後、昇順のＣＣインデックスを有するＣＣに対するＳＳを連続して構成することができる。
【０１５２】
この時、用いられるＣＣインデックスは、各スケジュールされたＣＣの論理的ＣＣインデックスまたは各スケジュールされたＣＣに対するＰＤＣＣＨに含まれるＣＩＦでよい。ＣＩＦ値でマルチスケジュールされたＣＣのＳＳを構成する場合には、物理的に特定ＣＣ  ＃Ａに対しても、ＣＩＦ構成／再構成によってマッピングされるＣＩＦ値が変わることがあるため、同一端末に割り当てられた複数のスケジュールされたＣＣのＳＳ位置か変わることがある。これにより、特定端末同士にまたは特定ＣＣ同士のＳＳが続いて重なる場合に生じるブロッキングを減らすことができる。
【０１５３】
図１１は、本発明の実施例として、スケジューリングされたコンポーネントキャリアのサーチスペースを構成する他の方法を示す図である。
【０１５４】
サーチスペース（ＳＳ）で基準となるスケジューリングＣＣからのオフセットに基づいて残りのスケジュールされたＣＣに対するＳＳを構成することができる。この時、オフセットは、ハッシング関数に基づいて設定されたＳＳの開始点からのオフセットでよく、ＳＳの終点からのオフセットでよい。
【０１５５】
図１１を参照すると、ＰＤＳＣＨ  ＣＣ  ＃Ａは基準キャリアに設定され、ＰＤＳＣＨ  ＣＣ  ＃Ｃは、ＣＣ  ＃Ａを基準にオフセットＣ値で割り当てられている。また、ＣＣ  ＃Ｂは、ＣＣ  ＃Ｃからオフセット値Ｂで割り当てられている。
【０１５６】
例えば、特定ＰＤＣＣＨモニタリングＣＣでスケジューリング可能なＰＤＳＣＨ  ＣＣが２個存在する状況で、ＰＤＳＣＨ  ＣＣ  ＃１のＳＳ開始点は、ハッシング関数に基づいて設定することができる。この時、ＳＳ開始点がＣＣＥインデックス２０の場合に、ＣＣＥ結合レベル１に対するＳＳは、ＣＣＥインデックス２０乃至２５までに設定することができる。また、残りのＰＤＳＣＨ  ＣＣ  ＃２に対するＳＳのオフセットが３に指定された場合には、ＰＤＳＣＨ  ＣＣ  ＃２に対するＳＳは、基準ＰＤＳＣＨ  ＣＣのＳＳの終点であるＣＣＥインデックス２５の後からオフセット３が適用されて、ＣＣＥインデックス２８乃至３３であってもよい。または、開始点であるＣＣＥインデックス２０からオフセット３が適用されて、ＣＣＥ２３乃至２８であってもよい。
【０１５７】
そのため、ＵＳＳはＣＳＳと重なるように定義されてもよい。図１１で、オフセット値を（＋）オフセットまたは（−）オフセットに設定することによって、ＳＳ間重畳を制御することができる。ＬＴＥ−Ａシステムでは、端末の搬送波結合性能及びブラインドデコーディング性能によってオフセット値を（＋）にするか、（−）にするかを判断してもよく、それに対する値をシグナリング（ｓｉｇｎａｌｉｎｇ）してもよい。
【０１５８】
また、サーチスペースの構成時にオフセット値を用いる場合に、各ＣＣ別に構成されるＳＳを、各ＣＣに伝送されるＤＣＩが同一サイズであると、ＳＳが重なるように設定でき（例えば、（−）オフセットを使用）、ＤＣＩが異なったサイズであると、ＳＳが重ならないように設定（例えば、（＋）オフセットを使用）できる。
【０１５９】
この時、オフセット値はキャリア別に同一にまたは異なるように適用してもよい。もし、オフセット値が基準キャリアのＳＳ領域と同じＣＣＥレベル値に設定されると、各キャリアを連続的に結合する方法でＳＳを定義することができる。
【０１６０】
オフセットを用いてキャリアアグリゲーション環境でのＳＳを構成する方法についてより詳細に説明する。
【０１６１】
−  基準となるＣＣのＰＤＣＣＨ伝送のためのＳＳ開始点は、任意の端末に対するハッシング関数の結果として指定することができる。ここで、基準となるＣＣのＰＤＣＣＨとは、ＰＣＣ（Ｐｒｉｍａｒｙ  ＣＣ）またはアンカーＣＣのようなＣＣのＰＤＣＣＨのことを指すことができる。または、基準となるＣＣのＰＤＣＣＨは、ＰＤＣＣＨモニタリングＣＣでセルフスケジューリング（ｓｅｌｆ−ｓｃｈｅｄｕｌｉｎｇ）用途に伝送するＰＤＣＣＨのことを指してもよい。例えば、クロスキャリアスケジューリングされるＰＤＣＣＨではなく、該当のＰＤＣＣＨモニタリングＤＬ  ＣＣまたは該当のＰＤＣＣＨモニタリングＤＬ  ＣＣと連結されたＵＬ  ＣＣを通じて伝送されるＰＤＳＣＨ信号またはＰＵＳＣＨ信号のスケジューリング用途に用いられるＰＤＣＣＨ信号でよい。セルフスケジューリングＰＤＣＣＨは、ＳＳ開始点を生成してＳＳを構成し、残りのクロスキャリアスケジューリングＰＤＣＣＨは、セルフスケジューリングＰＤＣＣＨのＳＳからオフセットに基づいて設定することができる。
【０１６２】
基準となるＰＤＣＣＨの開始点と該開始点からのＳＳは、ＬＴＥ−ＡシステムのＳＳをそのまま用いればいい。例えば、基準となるＰＤＣＣＨの開始点は、
【０１６３】
【化２】
0005845251.tif 000008
【０１６４】
に設定可能である。ここで、Ｙｋ−１＝ｎＲＮＴＩ≠０であり、Ａ＝３９８２７、Ｄ＝６５５３７であり、
【０１６５】
【化３】
0005845251.tif 000009
【０１６６】
に設定可能である。ここで、ｎｓは、無線フレームのスロット番号である。
【０１６７】
−  開始点からのサーチスペース
【０１６８】
【化４】
0005845251.tif 000010
【０１６９】
は、下記の式１のように設定することができる。
【０１７０】
【数１】
0005845251.tif 000011
【０１７１】
式１で、Ｙｋ，ｃ＝ｎＲＮＴＩ≠０、ｉ＝０，…，Ｌ−１であり、ｍ＝０，…，Ｍ（Ｌ）−１である。また、Ｍ（Ｌ）は、該当のＳＳでモニタリングするＰＤＣＣＨ候補の個数を表す。ＮＣＣＥ，ｋは、該当のサーチスペースに含まれるＣＣＥの個数を表す。
【０１７２】
このように、オフセットを用いた多重ＳＳの生成は、端末に多重ハッシュ関数を用いないようにすることで、ＬＴＥ  Ｒ−８システムのＰＤＣＣＨ割当過程をそのまま用いることができるという長所がある。また、オフセット値を適切に調節することによって、マルチキャリアに対するサーチスペースを完全に分離して設定したり、一部重なるように設定したり、完全に同じＳＳを共有するように設定するように、基地局がＳＳを構成できる。
【０１７３】
本発明の実施例では、オフセット値として、（１）キャリアインデックス（ＣＩ：Ｃａｒｒｉｅｒ  Ｉｎｄｅｘ）、（２）キャリア指示フィールド（ＣＩＦ）、または（３）キャリアインデックス関数（Ｆｕｎｃｔｉｏｎ  ｏｆ  ＣＩ、ｆ（ＣＩ））を用いることができる。
【０１７４】
本発明の実施例で、オフセット値としてキャリアインデックスが用いられる場合に、スケジュールされたＣＣ間にそれぞれ異なるオフセットを用いることができる。
【０１７５】
本発明の実施例で、各スケジュールされたＣＣのＣＩＦ値をオフセット値として用いる場合に、スケジュールされたＣＣ間にそれぞれ異なるオフセットを用いることができる。もし、セルフスケジューリングＣＣ（Ｓｅｌｆ−ｓｃｈｅｄｕｌｉｎｇ  ＣＣ）とクロスキャリアスケジューリングＣＣの両方にＣＩＦが用いられる場合に、セルフスケジューリングＣＣとクロスキャリアスケジューリングＣＣの両方にＣＩＦを用いるオフセットを用いることができる。もし、セルフスケジューリングＣＣにＣＩＦが用いられない場合には、クロスキャリアスケジューリングＣＣに対してのみＣＩＦオフセットを用いることができる。本発明の実施例では３ビットで伝送されるＣＩＦ値をオフセットに用いることができる。
【０１７６】
また、本発明の実施例で、オフセット値としてキャリアインデックス（ＣＩ）関数（ｆ（ＣＩ））が用いられてもよい。すなわち、ＣＩ値、及びＣＩ値を用いたいかなる形態の値もオフセット値として用いることができる。この場合、ｆ（ＣＩ）＝Ｘ＊ＣＩと定義でき、Ｘは、特定の定数でよい。または、Ｘは、各ＣＣＥ結合レベルが有するＰＤＣＣＨ候補の数（Ｍ（Ｌ））またはＭ（Ｌ）の倍数でよい。
【０１７７】
また、ｆ（ＣＩ）＝ＸＸ＋ＣＩと定義でき、ＸＸは、特定の定数でよい。または、ＸＸは、各ＣＣＥ結合レベルが提供するＰＤＣＣＨ候補の個数を考慮して各ＣＣＥ結合レベルのＳＳサイズであってもよい。例えば、ＸＸ値は、結合レベル１（Ｌ１）の場合には６、Ｌ２の場合には１２、Ｌ４の場合には８、Ｌ８の場合には１６に設定されてもよい。または、ＸＸ値は、各ＣＣＥ結合レベルに対して有しうるＳＳサイズのうち、最大のサイズ値に設定されてもよい。または、ＸＸ値は、各ＣＣＥ結合レベルが有するＰＤＣＣＨ候補の個数（Ｍ（Ｌ））またはＭ（Ｌ）の倍数であってもよい。
【０１７８】
下記の式２は、本発明の実施例に係るオフセット値を用いたサーチスペース（ＳＳ）を構成する一方法を示す。
【０１７９】
【数２】
0005845251.tif 000012
【０１８０】
式２で、Ｍ（Ｌ）は、該当のＳＳでモニタリングするＰＤＣＣＨ候補の個数を表し、ｎＣＩ＿ＣＣ＃ｐは、一種のキャリアインデックスであり、ＯＣＣ＃ｐは、ｐ番目のＣＣまたはＣＣ  ＃ｐを意味する。また、
【０１８１】
【化５】
0005845251.tif 000013
【０１８２】
であり、Ｙｋ−１＝ｎＲＮＴＩ≠０であり、
【０１８３】
【化６】
0005845251.tif 000014
【０１８４】
に設定することができる。また、Ｌは、ＣＣＥ結合レベルを意味し、ＮＣＣＥ，ｋは、該当のサーチスペースに含まれるＣＣＥの個数を表し、ｉ＝０、１，…，Ｌ−１に設定することができる。
【０１８５】
ここで、セルフスケジューリングＣＣに対するキャリアインデックスを常に０にすることで、式１をＬＴＥ  Ｒｅｌ−８システムのＳＳ決定数式と同一に構成することができる。オフセット値を用いてＳＳが構成される場合に、実際ＣＣインデックスが０、１、２の非論理的な順に構成されると、連続したＳＳの構成のために、常に、セルフスケジューリングＣＣはＣＣインデックスを０、その次に位置するＣＣのＣＣインデックスは１、その次に位置するＣＣのＣＣインデックスは２のような形態に変更することができる。
【０１８６】
式２で、基準となるスケジューリングＣＣやＰＣＣ、ＣＩまたはＣＩＦが最も低いＣＣなどは、ＬＴＥ  Ｒｅｌ−８システムのＹｋ、Ｓｋ（Ｌ）の数式をそのまま用いることができる。式２で、Ｏｃｃ＃ｐは上述のいかなるオフセット値も適用可能である。例えば、Ｏｃｃ＃ｐ値には、キャリアインデックス、ＣＩＦで指示されるＣＩ値、基準ＣＣのＣＩ値の差などを含め、上述したいかなるオフセット値も用いることができる。
【０１８７】
下記の式３は、本発明の実施例に係るサーチスペース（ＳＳ）を構成する他の方法を示す。
【０１８８】
【数３】
0005845251.tif 000015
【０１８９】
式３で、ｎＣＩ＿ＣＣ＃ｐは、一種のキャリアインデックス（ＣＩ：Ｃａｒｒｉｅｒ  Ｉｎｄｅｘ）である。セルフスケジューリングに対するキャリアインデックスを常に０に設定することによって、式３の数式をＬＴＥ  Ｒｅｌ−８のＳＳ決定方法と同一に構成することができる。実際ＣＣインデックスが０、１、２の非論理的な順に構成される場合に、連続したＳＳの構成のために、常に、セルフスケジューリングＣＣはＣＣインデックスを０、その次に位置するＣＣのＣＣインデックスは１、その次に位置するＣＣのＣＣインデックスは２のような形態に変更することができる。
【０１９０】
上記の式３を下記のように変形することができる。例えば、活性ＣＣの番号がＣ（ｃ＝０，１，…，Ｃ−１）であり、Ｃ番目のＣＣは、単一ハッシュ関数及びＣＣ特定オフセットで定義することができる。下記の式４は式３の変形例である。
【０１９１】
【数４】
0005845251.tif 000016
【０１９２】
式３で、ＣＣ特定オフセットは、ハッシング関数により与えられる開始点と各ＣＣの実際開始点間のＣＣＥの個数で定義できる。例えば、ＣＣ特定オフセットは、（キャリアインデックス）＊（距離）で決定できる。
【０１９３】
式３で、インデックス値は、（１）ＣＩＦ値、（２）（ｃ−１）番目のＣＣ及びＣ番目のＣＣ間のＣＩＦ差値、（３）構成されたＣＣに基づいて計算されたキャリアインデックス、及び／または（４）活性ＣＣに基づくキャリアインデックスでよい。
【０１９４】
また、ＣＣ特定オフセットを求めるための「距離（Ｄｉｓｔａｎｃｅ）」値は、（１）結合レベル（Ｌ）当たりのＰＤＣＣＨ候補の個数Ｍ（Ｌ）、（２）Ｍ（Ｌ）よりも大きい値、または（３）
【０１９５】
【化７】
0005845251.tif 000017
【０１９６】
で定義される場合のＭ（Ｌ）よりも大きい値に決定することができる。
【０１９７】
図１２は、本発明のさらに他の実施例として、図１乃至図１１で説明した本発明の実施例を実行できる移動端末及び基地局を示す図である。
【０１９８】
移動端末は、上りリンクでは送信機として動作し、下りリンクでは受信機として動作できる。また、基地局は、上りリンクでは受信機として動作し、下りリンクでは送信機として動作できる。
【０１９９】
すなわち、移動端末及び基地局は、情報、データ及び／またはメッセージの送信及び受信を制御するために、それぞれ、送信モジュール（Ｔｘ  ｍｏｄｕｌｅ）１２４０，１２５０及び受信モジュール（Ｒｘ  ｍｏｄｕｌｅ）１２５０，１２７０を備えることができ、情報、データ及び／またはメッセージを送受信するためのアンテナ１２００，１２１０などを備えることができる。また、移動端末及び基地局は、それぞれ、上述した本発明の実施例を実行するためのプロセッサ（Ｐｒｏｃｅｓｓｏｒ）１２２０，１２３０と、プロセッサの処理過程を臨時的にまたは持続的に記憶できるメモリー１２８０，１２９０とを備えることができる。また、図１２の端末及び基地局は、ＬＴＥシステム及びＬＴＥ−Ａシステムを支援するためのＬＴＥモジュール及び低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールの少なくとも一つをさらに備えることができる。
【０２００】
移動端末及び基地局に備えられている送信モジュール及び受信モジュールは、データ伝送のためのパケット変復調機能、高速パケットチャネルコーディング機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／またはチャネル多重化機能を行うことができる。
【０２０１】
図１２で説明した装置は、図１乃至図１１で説明した方法を具現できる手段である。上述した移動端末及び基地局装置の構成成分及び機能を用いて本発明の実施例を実行することができる。
【０２０２】
例えば、端末のプロセッサは、サーチスペースをモニタリングしてＰＤＣＣＨ信号を受信することができる。特に、ＬＴＥ−Ａ端末の場合は、拡張されたＣＳＳに対してＢＤを行うことによって、他のＬＴＥ端末とのＰＤＣＣＨ信号に対するブロッキング無しでＰＤＣＣＨを受信することができる。
【０２０３】
一方、本発明において、移動端末としては、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（登録商標）（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートブック型ＰＣ、スマート（Ｓｍａｒｔ）フォンまたはマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０２０４】
ここで、スマートフォンとは、移動通信端末機と個人携帯端末機のメリットを結合した端末機で、移動通信端末機に、個人携帯端末機の機能である日程管理、ファックス送受信及びインターネット接続などのデータ通信機能を組み合わせた端末機のことを意味する。また、マルチモードマルチバンド端末機とは、マルチモデムチップを組み込んでおり、携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システム等）のいずれにおいても作動可能な端末機のことをいう。
【０２０５】
本発明に係る実施例は、様々な手段、例えば、ハードウェア、ファームウェア（ｆｉｒｍｗａｒｅ）、ソフトウェアまたはそれらの結合などにより具現することができる。
【０２０６】
ハードウェアによる具現の場合、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０２０７】
ファームウェアやソフトウェアによる具現の場合、本発明の実施例に係る方法は、以上で説明された機能または動作を行うモジュール、手順または関数などの形態とすることができる。例えば、ソフトウェアコードは、メモリーユニット１２８０，１２９０に格納されて、プロセッサ１２２０，１２３０により駆動されてよい。メモリーユニットは、プロセッサの内部または外部に設けられて、公知の様々な手段によりプロセッサとデータを交換することができる。
【０２０８】
本発明は、本発明の技術的思想及び必須特徴から逸脱しない範囲で他の特定の形態に具体化可能であるということは、当業者にとっては明らかである。したがって、上記の詳細な説明は、いずれの面においても制約的に解釈されてはならず、例示的なものとして考慮されなければならない。本発明の範囲は、添付した請求項の合理的な解釈により決定されるべきであり、よって、本発明の等価的範囲内における変更はいずれも本発明の範囲に含まれる。なお、特許請求の範囲で明示的な引用関係を有しない請求項を結合して実施例を構成したり、出願後の補正により新しい請求項として含めることができる。
例えば、本発明は以下の項目を提供する。
（項目１）
多重キャリアアグリゲーション（ＣＡ）及びクロスキャリアスケジューリングを支援する無線接続システムにおいて制御信号を検索する方法であって、
拡張されたサーチスペースで基準サーチスペースの開始点を算出することと、
前記基準サーチスペースから所定のオフセット値を有する位置にある次のサーチスペースの開始点を算出することと、
前記基準サーチスペース及び前記次のサーチスペースでブラインドデコーディングを行って、基地局から前記制御信号を検索することと、
を含む、制御信号検索方法。
（項目２）
前記基準サーチスペースは、プライマリコンポーネントキャリア（ＰＣＣ）、アンカーコンポーネントキャリア及びセルフスケジューリングコンポーネントキャリアのいずれか一つで構成される、項目１に記載の制御信号検索方法。
（項目３）
前記オフセット値は、キャリアインデックス（ＣＩ）、キャリア指示子フィールド（ＣＩＦ）及びキャリアインデックス関数（ｆ（ＣＩ））のいずれか一つである、項目２に記載の制御信号検索方法。
（項目４）
前記次のサーチスペースは、前記基準サーチスペースと連続して構成される、項目２に記載の制御信号検索方法。
（項目５）
前記基準サーチスペース及び前記次のサーチスペースは、次の数式
【化８】
0005845251.tif 000018
で計算され、Ｍ（Ｌ）は、該当のＳＳでモニタリングするＰＤＣＣＨ候補の個数を表し、ｎＣＩ＿ＣＣ＃ｐは、キャリアインデックスを表し、前記オフセット値を表す、項目２に記載の制御信号検索方法。
（項目６）
多重キャリアアグリゲーション（ＣＡ）及びクロスキャリアスケジューリングを支援する無線接続システムにおいて制御信号を検索する端末であって、
無線信号を送信するための送信モジュールと、
無線信号を受信するための受信モジュールと、
前記制御信号を検索するためのプロセッサと、
を備え、
前記プロセッサは、拡張されたサーチスペースで基準サーチスペースの開始点を算出し、前記基準サーチスペースから所定のオフセット値を有する位置にある次のサーチスペースの開始点を算出し、算出された前記基準サーチスペース及び前記次のサーチスペースでブラインドデコーディングを行って基地局から前記制御信号を検索する、端末。
（項目７）
前記基準サーチスペースは、プライマリコンポーネントキャリア（ＰＣＣ）、アンカーコンポーネントキャリア及びセルフスケジューリングコンポーネントキャリアのいずれか一つで構成される、項目６に記載の端末。
（項目８）
前記オフセット値は、キャリアインデックス（ＣＩ）、キャリア指示子フィールド（ＣＩＦ）及びキャリアインデックス関数（ｆ（ＣＩ））のいずれか一つである、項目７に記載の端末。
（項目９）
前記次のサーチスペースは、前記基準サーチスペースと連続して構成される、項目７に記載の端末。
（項目１０）
前記基準サーチスペース及び前記次のサーチスペースは、次の数式
【化９】
0005845251.tif 000019
で計算され、Ｍ（Ｌ）は、該当のＳＳでモニタリングするＰＤＣＣＨ候補の個数を表し、ｎＣＩ＿ＣＣ＃ｐは、キャリアインデックスを表し、前記オフセット値を表す、項目７に記載の端末。
【産業上の利用可能性】
【０２０９】
本発明の各実施例は、様々な無線接続システムに適用することができる。様々な無線接続システムの例には、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥシステム、３ＧＰＰ  ＬＴＥ−Ａシステム、３ＧＰＰ２及び／またはＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記の様々な無線接続システムの他に、上記の様々な無線接続システムを応用したいずれの技術分野にも適用することができる。
【図１】
0005845251.tif 000028
【図２】
0005845251.tif 000029
【図３】
0005845251.tif 000030
【図４】
0005845251.tif 000031
【図５】
0005845251.tif 000032
【図６】
0005845251.tif 000033
【図７】
0005845251.tif 000034
【図８】
0005845251.tif 000035
【図９】
0005845251.tif 000036
【図１０】
0005845251.tif 000037
【図１１】
0005845251.tif 000038
【図１２】
0005845251.tif 000039